(57)【要約】【課題】  音声読み上げ機能を有するブラウザによりＷｅｂ情報の閲覧が要求されたときに、音声読み上げに適した構成のＷｅｂ情報を容易に提供することが可能なＷｅｂ情報提供装置およびＷｅｂ情報提供方法を提供する。【解決手段】  健常者向け画面情報から視覚障害者向け画面情報を生成する視覚障害者向け画面情報生成部１２と、健常者向け画面情報と生成された視覚障害者向け画面情報とこれらの画面情報に対応付けられた検出用情報とを画面情報群として記憶する画面情報群記憶部１４と、ユーザ端末２０から音声読み上げ機能を有するＷｅｂブラウザによりＷｅｂ情報を要求するために検出用情報のアドレス情報を取得すると、当該検出用情報に対応する視覚障害者向け画面情報を該当するＷｅｂ情報として取得するＷｅｂ情報取得部１７と、このＷｅｂ情報をアドレス情報の発信元のユーザ端末２０に提供するＷｅｂ情報提供部１８とを備えることを特徴とする。【選択図】図１
2011048580.tif 000002
【特許請求の範囲】
【請求項１】
音声読み上げ機能を有するＷｅｂブラウザを搭載したユーザ端末を含む複数のユーザ端末にネットワークを介して接続された情報提供装置において、
音声読み上げ機能を有するＷｅｂブラウザで出力される際に音声読み上げ対象となる情報にタグ情報を付した、健常者向け画面情報を入力する健常者向け画面情報入力部と、
前記健常者向け画面情報入力部から入力された健常者向け画面情報から、前記タグ情報が付された情報を抽出して視覚障害者向け画面情報を生成する視覚障害者向け画面情報生成部と、
前記健常者向け画面情報入力部から入力された健常者向け画面情報と、前記視覚障害者向け画面情報生成部で生成された視覚障害者向け画面情報と、当該健常者向け画面情報および当該視覚障害者向け画面情報に対応付けられた検出用情報とを、画面情報群として記憶する画面情報群記憶部と、
いずれかのユーザ端末からＷｅｂ情報を要求するためにＷｅｂブラウザを利用して発信された、前記検出用情報にアクセスするためのアドレス情報を取得すると、このアドレス情報の発信に利用されたＷｅｂブラウザが音声読み上げ機能を有するＷｅｂブラウザであるか否かを識別するブラウザ識別部と、
前記ブラウザ識別部において前記アドレス情報の発信に利用されたＷｅｂブラウザが音声読み上げ機能を有するＷｅｂブラウザであると識別されたときには、当該アドレス情報で示される位置に記憶された検出用情報に対応する視覚障害者向け画面情報を、該当するＷｅｂ情報として前記画面情報群記憶部から取得するＷｅｂ情報取得部と、
前記Ｗｅｂ情報取得部で取得されたＷｅｂ情報を、前記アドレス情報の発信元のユーザ端末に提供するＷｅｂ情報提供部と
を備えることを特徴とするＷｅｂ情報提供装置。
【請求項２】
前記健常者向け画面情報入力部で入力された健常者向け画面情報に付されたタグ情報には、音声による読み上げ順を示した数字がさらに付され、
前記視覚障害者向け画面情報生成部は、抽出した前記タグ情報が付された情報を、当該タグ情報に含まれる前記読み上げ順を示した数字に基づいて並べ替えることで前記視覚障害者向け画面情報を生成する
ことを特徴とする請求項１に記載のＷｅｂ情報提供装置。
【請求項３】
前記健常者向け画面情報入力部で入力された健常者向け画面情報が複数のフレームから構成されるときには、当該健常者向け画面情報に付されたタグ情報の読み上げ順を示した数字は、前記複数のフレームに跨って一意的に付される
ことを特徴とする請求項２に記載のＷｅｂ情報提供装置。
【請求項４】
前記健常者向け画面情報入力部で入力された健常者向け画面情報には、前記タグ情報が付された音声読み上げ対象の情報に、当該音声読み上げ対象の情報が丁寧語で表現されたテキスト情報である読み上げ用情報がさらに含まれ、
前記視覚障害者向け画面情報生成部は、前記健常者向け画面情報から抽出された後、前記読み上げ順を示した数字に基づいて並べ替えられたタグ情報が付された情報を、さらに前記読み上げ用情報に置き換えて視覚障害者向け画面情報を生成する
ことを特徴とする請求項１〜３いずれか１項に記載のＷｅｂ情報提供装置。
【請求項５】
音声読み上げ機能を有するＷｅｂブラウザを搭載したユーザ端末を含む複数のユーザ端末にネットワークを介して接続された情報提供装置が、
音声読み上げ機能を有するＷｅｂブラウザで出力される際に音声読み上げ対象となる情報にタグ情報を付した健常者向け画面情報を入力する健常者向け画面情報入力ステップと、
前記健常者向け画面情報入力ステップにより入力された健常者向け画面情報から、前記タグ情報が付された情報を抽出して視覚障害者向け画面情報を生成する視覚障害者向け画面情報生成ステップと、
前記健常者向け画面情報入力ステップにより入力された健常者向け画面情報と、前記視覚障害者向け画面情報生成ステップにより生成された視覚障害者向け画面情報と、当該健常者向け画面情報および当該視覚障害者向け画面情報に対応付けられた検出用情報とを、画面情報群として自装置内の画面情報群記憶部に記憶させる画面情報群記憶ステップと、
いずれかのユーザ端末からＷｅｂ情報を要求するためにＷｅｂブラウザを利用して発信された、前記検出用情報にアクセスするためのアドレス情報を取得すると、このアドレス情報の発信に利用されたＷｅｂブラウザが音声読み上げ機能を有するＷｅｂブラウザであるか否かを識別するブラウザ識別ステップと、
前記ブラウザ識別ステップにより前記アドレス情報の発信に利用されたＷｅｂブラウザが音声読み上げ機能を有するＷｅｂブラウザであると識別されたときには、当該アドレス情報で示される位置に記憶された検出用情報に対応する視覚障害者向け画面情報を、該当するＷｅｂ情報として前記画面情報群記憶部から取得するＷｅｂ情報取得ステップと、
前記Ｗｅｂ情報取得ステップにより取得されたＷｅｂ情報を、前記アドレス情報の発信元のユーザ端末に提供するＷｅｂ情報提供ステップと
を有することを特徴とするＷｅｂ情報提供方法。
【発明の詳細な説明】
【技術分野】
【０００１】
本発明は、視覚障害者向けの情報を生成して提供するＷｅｂ情報提供装置およびＷｅｂ情報提供方法に関する。
【背景技術】
【０００２】
近年、情報通信ネットワークや通信機器に関する技術の進歩により、インターネット等のネットワークを利用して多くのＷｅｂ情報が提供されている。
【０００３】
これらのＷｅｂ情報は健常者向けに提供されているものがほとんどであり、視覚的に情報を認識し易いように構成されている。そのため、複数のフレームに分割したり、主となる文字情報を目立つ色や大きさで装飾したり、またイメージ画像等を組み込んだりして表示させるものが多くある。
【０００４】
一方、視覚障害者がＰＣ（Personal computer）を利用してＷｅｂ情報を閲覧するためのブラウザとして、表示されたＷｅｂ情報の中のテキスト情報を自動的に音声で読み上げる機能を有するブラウザがある。
【０００５】
このブラウザでは、上記のＷｅｂ情報のような複数に分割されたフレームや、装飾文字、イメージ画像情報などの複雑な構成の情報を認識することが考慮されていないことから、自動読み上げ用に構成された、いわゆるバリアフリー化されたＷｅｂ情報でなければ視覚障害者に認識し易い状態でＷｅｂ情報の内容を読み上げることができない場合があった。
【０００６】
そのため、健常者向けのＷｅｂ情報とは別に視覚障害者向けのＷｅｂ情報を作成することが考えられるが、それぞれ別個に作成するようにすると手間やコストがかかるという問題があった。
【０００７】
そこで、上記のような健常者向けに提供されている複雑な構成のＷｅｂ情報を、音声読み上げ機能を有するブラウザで閲覧するために最適化する技術が特許文献１に記載されている。
【０００８】
この特許文献１に記載の情報提供システムの技術を利用することにより、音声読み上げ機能を有するブラウザで閲覧する際に、自動読み上げによる音声情報でＷｅｂ情報の内容を認識し易くなるように、不要なイメージを削除したり、情報提示の順序を変更したり、文体を修正したりして最適化することができる。
【先行技術文献】
【特許文献】
【０００９】
【特許文献１】特開２００３−２２３４６３号公報
【発明の概要】
【発明が解決しようとする課題】
【００１０】
しかし、この特許文献１では音声読み上げ機能を有するブラウザでＷｅｂ情報を閲覧する際の具体的な最適化方法については記載されていなく、視覚障害者がより容易にかつ正確にＷｅｂ情報を閲覧することができるようにするための技術が望まれていた。
【００１１】
本発明は上記事情に鑑みてなされたものであり、視覚障害者向けの音声読み上げ機能を有するブラウザによりＷｅｂ情報の閲覧が要求されたときに、音声読み上げに適した構成のＷｅｂ情報を容易に提供することが可能なＷｅｂ情報提供装置およびＷｅｂ情報提供方法を提供することを目的とする。
【課題を解決するための手段】
【００１２】
上記目的を達成するための本発明のＷｅｂ情報提供装置は、音声読み上げ機能を有するＷｅｂブラウザを搭載したユーザ端末を含む複数のユーザ端末にネットワークを介して接続された情報提供装置において、音声読み上げ機能を有するＷｅｂブラウザで出力される際に音声読み上げ対象となる情報にタグ情報を付した、健常者向け画面情報を入力する健常者向け画面情報入力部と、前記健常者向け画面情報入力部から入力された健常者向け画面情報から、前記タグ情報が付された情報を抽出して視覚障害者向け画面情報を生成する視覚障害者向け画面情報生成部と、前記健常者向け画面情報入力部から入力された健常者向け画面情報と、前記視覚障害者向け画面情報生成部で生成された視覚障害者向け画面情報と、当該健常者向け画面情報および当該視覚障害者向け画面情報に対応付けられた検出用情報とを、画面情報群として記憶する画面情報群記憶部と、いずれかのユーザ端末からＷｅｂ情報を要求するためにＷｅｂブラウザを利用して発信された、前記検出用情報にアクセスするためのアドレス情報を取得すると、このアドレス情報の発信に利用されたＷｅｂブラウザが音声読み上げ機能を有するＷｅｂブラウザであるか否かを識別するブラウザ識別部と、前記ブラウザ識別部において前記アドレス情報の発信に利用されたＷｅｂブラウザが音声読み上げ機能を有するＷｅｂブラウザであると識別されたときには、当該アドレス情報で示される位置に記憶された検出用情報に対応する視覚障害者向け画面情報を、該当するＷｅｂ情報として前記画面情報群記憶部から取得するＷｅｂ情報取得部と、前記Ｗｅｂ情報取得部で取得されたＷｅｂ情報を、前記アドレス情報の発信元のユーザ端末に提供するＷｅｂ情報提供部とを備えることを特徴とする。
【００１３】
また、本発明のＷｅｂ情報提供方法は、音声読み上げ機能を有するＷｅｂブラウザを搭載したユーザ端末を含む複数のユーザ端末にネットワークを介して接続された情報提供装置が、音声読み上げ機能を有するＷｅｂブラウザで出力される際に音声読み上げ対象となる情報にタグ情報を付した健常者向け画面情報を入力する健常者向け画面情報入力ステップと、前記健常者向け画面情報入力ステップにより入力された健常者向け画面情報から、前記タグ情報が付された情報を抽出して視覚障害者向け画面情報を生成する視覚障害者向け画面情報生成ステップと、前記健常者向け画面情報入力ステップにより入力された健常者向け画面情報と、前記視覚障害者向け画面情報生成ステップにより生成された視覚障害者向け画面情報と、当該健常者向け画面情報および当該視覚障害者向け画面情報に対応付けられた検出用情報とを、画面情報群として自装置内の画面情報群記憶部に記憶させる画面情報群記憶ステップと、いずれかのユーザ端末からＷｅｂ情報を要求するためにＷｅｂブラウザを利用して発信された、前記検出用情報にアクセスするためのアドレス情報を取得すると、このアドレス情報の発信に利用されたＷｅｂブラウザが音声読み上げ機能を有するＷｅｂブラウザであるか否かを識別するブラウザ識別ステップと、前記ブラウザ識別ステップにより前記アドレス情報の発信に利用されたＷｅｂブラウザが音声読み上げ機能を有するＷｅｂブラウザであると識別されたときには、当該アドレス情報で示される位置に記憶された検出用情報に対応する視覚障害者向け画面情報を、該当するＷｅｂ情報として前記画面情報群記憶部から取得するＷｅｂ情報取得ステップと、前記Ｗｅｂ情報取得ステップにより取得されたＷｅｂ情報を、前記アドレス情報の発信元のユーザ端末に提供するＷｅｂ情報提供ステップとを有することを特徴とする。
【発明の効果】
【００１４】
本発明のＷｅｂ情報提供装置およびＷｅｂ情報提供方法によれば、視覚障害者向けの音声読み上げ機能を有するブラウザによりＷｅｂ情報の閲覧が要求されたときに、音声読み上げに適した構成のＷｅｂ情報を容易に提供することができる。
【図面の簡単な説明】
【００１５】
【図１】本発明の一実施形態によるＷｅｂ情報提供装置を利用したＷｅｂ情報提供システムの構成を示すブロック図である。
【図２】本発明の一実施形態によるＷｅｂ情報提供装置を利用したＷｅｂ情報提供システムの動作を示すシーケンス図である。
【図３】本発明の一実施形態によるＷｅｂ情報提供装置に入力された健常者向け画面のＨＴＭＬ情報の一例を示す説明図である。
【図４】本発明の一実施形態によるＷｅｂ情報提供装置で生成された視覚障害者向け画面のＨＴＭＬ情報の一例を示す説明図である。
【図５】本発明の一実施形態によるＷｅｂ情報提供装置から送信されユーザ端末で表示された健常者向け画面の画面構成図である。
【図６】本発明の一実施形態によるＷｅｂ情報提供装置から送信されユーザ端末で表示された視覚障害者向け画面の画面構成図である。
【発明を実施するための形態】
【００１６】
〈一実施形態による情報提供システムの構成〉
本発明の一実施形態によるＷｅｂ情報提供装置を利用したＷｅｂ情報提供システム１の構成を、図１に示す。
【００１７】
本実施形態によるＷｅｂ情報提供システム１は、Ｗｅｂ情報提供装置１０と、音声読み上げ機能を有するＷｅｂブラウザが搭載され、Ｗｅｂ情報を閲覧するユーザにより操作されるユーザ端末２０とが、ネットワーク３０を介して接続されている。図１ではネットワーク３０にユーザ端末２０が１台のみ接続されている場合を示しているが、実際には複数のユーザ端末がネットワーク３０に接続されている。
【００１８】
Ｗｅｂ情報提供装置１０は、健常者向け画面情報入力部１１と、視覚障害者向け画面情報生成部１２と、画面情報群生成部１３と、画面情報群記憶部１４と、ＵＲＬ情報取得部１５と、ブラウザ識別部１６と、Ｗｅｂ情報取得部１７と、Ｗｅｂ情報提供部１８とを有する。
【００１９】
健常者向け画面情報入力部１１は、Ｗｅｂ情報の管理者の操作により、健常者向けに表示させるためのＷｅｂ情報である健常者向け画面情報を入力する。この健常者向け画面情報のうち、音声読み上げ機能を有するＷｅｂブラウザにおいて音声読み上げ対象とする情報には、音声による読み上げ順を示した音声対象タグ情報を付している。
【００２０】
視覚障害者向け画面情報生成部１２は、健常者向け画面情報入力部１１から入力された健常者向け画面情報から音声対象タグ情報が付された情報を抽出し、当該音声対象タグ情報に含まれる読み上げ順に基づいて並べ替えることで、視覚障害者向けのＷｅｂ情報である視覚障害者向け画面情報を生成する。
【００２１】
画面情報群生成部１３は、健常者向け画面情報入力部１１から入力された健常者向け画面情報と、視覚障害者向け画面情報生成部１２で生成された視覚障害者向け画面情報と、当該健常者向け画面情報および当該視覚障害者向け画面情報に対応付けられた検出用情報とを含む画面情報群を生成する。
【００２２】
画面情報群記憶部１４は、画面情報群生成部１３で生成された画面情報群を記憶する。
【００２３】
ＵＲＬ情報取得部１５は、ユーザ端末２０からネットワーク３０を介して送信された、所望のＷｅｂ情報に対応付けられた検出用情報にアクセスするためのアドレス情報であるＵＲＬ情報を取得する。
【００２４】
ブラウザ識別部１６は、ＵＲＬ情報取得部１５において検出用情報にアクセスするためのＵＲＬ情報が取得されると、このＵＲＬ情報の発信に利用されたＷｅｂブラウザが音声読み上げ機能を有するＷｅｂブラウザであるか否かを、当該ＵＲＬ情報のヘッダ情報に基づいて識別する。
【００２５】
Ｗｅｂ情報取得部１７は、ブラウザ識別部１６において、ＵＲＬ情報の発信に利用されたＷｅｂブラウザが音声読み上げ機能を有するＷｅｂブラウザであると識別されたときには、当該ＵＲＬ情報で示される位置に記憶された検出用情報に対応する視覚障害者向け画面情報を、該当するＷｅｂ情報として画面情報群記憶部１４から取得し、当該ＵＲＬ情報の発信に利用されたＷｅｂブラウザが音声読み上げ機能を有していないＷｅｂブラウザであると識別されたときには、当該ＵＲＬ情報で示される位置に記憶された検出用情報に対応する健常者向け画面情報を、該当するＷｅｂ情報として画面情報群記憶部１４から取得する。
【００２６】
Ｗｅｂ情報提供部１８は、Ｗｅｂ情報取得部１７で取得されたＷｅｂ情報を、ＵＲＬ情報取得部１５で取得されたＵＲＬ情報の発信元のユーザ端末２０に提供する。
【００２７】
ユーザ端末２０は、Ｗｅｂブラウザ動作部２１と、出力部２２とを有する。
【００２８】
Ｗｅｂブラウザ動作部２１はユーザの操作により動作し、搭載されているＷｅｂブラウザを利用して、所望のＷｅｂ情報に対応付けられた検出用情報にアクセスするためのＵＲＬ情報をネットワーク３０を介してＷｅｂ情報提供装置１０に送信し、またこのＵＲＬ情報を送信したことにより提供されるＷｅｂ情報を受信する。
【００２９】
出力部２２は、Ｗｅｂブラウザ動作部２１で動作中のＷｅｂブラウザの情報および受信したＷｅｂ情報を表示するとともに、音声読み上げ機能により受信したＷｅｂ情報を音声で出力する。
【００３０】
〈一実施形態による情報提供システムの動作〉
次に、本実施形態によるＷｅｂ情報提供システム１の動作について、図２のシーケンス図を参照して説明する。
【００３１】
まずＷｅｂ情報の管理者の操作により、Ｗｅｂ情報提供装置１０の健常者向け画面情報入力部１１から、健常者向けに表示させるためのＷｅｂ情報である健常者向け画面情報が入力される（Ｓ１）。入力された健常者向け画面情報の一例を図３に示す。
【００３２】
図３は健常者向け画面情報としてのＨＴＭＬファイルのテキスト情報部分を抜粋した一例であり、この健常者向け画面情報はフレーム（１）およびフレーム（２）の２つのフレームで構成されている。
【００３３】
そして、フレーム（１）には表示対象のテキスト情報「トップメニュー」が含まれ、このテキスト情報「トップメニュー」は音声読み上げ機能のＷｅｂブラウザで表示された際に音声読み上げ対象とする情報であるとともに読み上げ順は４番目であることを示す音声対象タグ情報「free4」が付され、さらに音声により読み上げる際には読み上げ用情報「トップメニューへ戻ります。」として読み上げることを示す属性情報「title」が付されている。この読み上げ用情報は丁寧語で表現されたテキスト情報であり、音声で読み上げられたときに視覚障害者のユーザが内容を理解し易やすくするために設定されるものである。
【００３４】
また、フレーム（２）には表示対象のテキスト情報「お知らせ情報です。」が含まれ、このテキスト情報「お知らせ情報です。」は音声読み上げ機能のＷｅｂブラウザで表示された際に音声読み上げ対象とする情報であるとともに読み上げ順は１番目であることを示す音声対象タグ情報「free1」が付されている。
【００３５】
さらに、フレーム（２）には表示対象のテキスト情報「１０／２４（金）○○で停電」が含まれ、このテキスト情報「１０／２４（金）○○で停電」は音声読み上げ機能のＷｅｂブラウザで表示された際に音声読み上げ対象とする情報であるとともに読み上げ順は２番目であることを示す音声対象タグ情報「free2」が付され、さらに音声により読み上げる際には読み上げ用情報「１０月２４日  金曜日  ○○で停電します。」として読み上げることを示す属性情報「title」が付されている。
【００３６】
さらに、フレーム（２）には表示対象のテキスト情報「連絡先：○○○○」が含まれ、このテキスト情報「連絡先：○○○○」は音声読み上げ機能のＷｅｂブラウザで表示された際に音声読み上げ対象とする情報であるとともに読み上げ順は３番目であることを示す音声対象タグ情報「free3」が付され、さらに音声により読み上げる際には読み上げ用情報「連絡先は、○○○○です。」として読み上げることを示す属性情報「title」が付されている。
【００３７】
これらの音声読み上げ対象とするテキスト情報の読み上げ順は、複数フレームに跨って一意的に付されることで、視覚障害者向け情報を一のフレームで構成された情報にすることができる。また、音声読み上げ対象とする情報をテキスト情報のみとすることで、音声情報として出力し難い画像データや仕切り線などを視覚障害者向け画面情報から除くことができる。
【００３８】
次に、視覚障害者向け画面情報生成部１２において、健常者向け画面情報入力部１１から入力された健常者向け画面情報から頭文字が「free」の音声対象タグ情報が付されたテキスト情報が抽出され、当該音声対象タグ情報「free」に続く数字で示される読み上げ順に基づいて並べ替えられ、さらに抽出されたテキスト情報に属性情報「title」が付された情報があればこの情報を優先させて置き換えることで、視覚障害者向けのＷｅｂ情報である視覚障害者向け画面情報が生成される（Ｓ２）。
【００３９】
例えば、図３に示した健常者向け画面情報からは、頭文字が「free」の音声対象タグ情報が付された情報であるテキスト情報「トップメニュー」、「お知らせ情報です。」、「１０／２４（金）○○で停電」、および「連絡先：○○○○」が抽出され、これらのテキスト情報の音声対象タグ情報に付されている数字で示される読み上げ順に基づいて「お知らせ情報です。」→「１０／２４（金）○○で停電」→「連絡先：○○○○」→「トップメニュー」に並べ替えられ、さらに属性情報「title」が付された情報に基づいてテキスト情報「１０／２４（金）○○で停電」は読み上げ用情報「１０月２４日  金曜日  ○○で停電します。」に置き換えられ、テキスト情報「連絡先：○○○○」は読み上げ用情報「連絡先は、○○○○です。」に置き換えられ、テキスト情報「トップメニュー」は読み上げ用情報「トップメニューへ戻ります。」に置き換えられる。
【００４０】
これらの処理により、図４に示すような、「お知らせ情報です。」→「１０月２４日  金曜日  ○○で停電します。」→「連絡先は、○○○○です。」→「トップメニューへ戻ります。」の順の情報で構成される視覚障害者向け画面情報が生成される。
【００４１】
視覚障害者向け画面情報が生成されると、画面情報群生成部１３において、健常者向け画面情報入力部１１から入力された健常者向け画面情報と、視覚障害者向け画面情報生成部１２で生成された視覚障害者向け画面情報と、当該健常者向け画面情報および当該視覚障害者向け画面情報に対応付けられた検出用情報とを含む画面情報群が生成され、画面情報群記憶部１４に記憶される（Ｓ３）。
【００４２】
上述したように画面情報群が画面情報群記憶部１４に記憶されると、Ｗｅｂ情報を閲覧するユーザに対しては、画面情報群の中のＷｅｂ情報の閲覧を要求するための情報として、当該画面情報群の中の検出用情報が格納されているアドレス情報であるＵＲＬ情報が提供される。
【００４３】
そして、ユーザよりユーザ端末２０が操作され、当該ユーザ端末２０に搭載された音声読み上げ機能を有するＷｅｂブラウザが利用されて、閲覧を要求するＷｅｂ情報に対応付けられた検出用情報にアクセスするためのＵＲＬ情報が、Ｗｅｂブラウザ動作部２１からネットワーク３０を介してＷｅｂ情報提供装置１０に送信される（Ｓ４）。このとき送信されるＵＲＬ情報のヘッダ情報には、送信に利用されたＷｅｂブラウザが音声読み上げ機能を有するか否かを識別する情報が付加される。
【００４４】
ユーザ端末２０から送信されたＵＲＬ情報は、Ｗｅｂ情報提供装置１０のＵＲＬ情報取得部１５で受信されて取得され（Ｓ５）、ブラウザ識別部１６においてこのＵＲＬ情報の発信に利用されたＷｅｂブラウザが音声読み上げ機能を有するＷｅｂブラウザであるか否かが、当該ＵＲＬ情報のヘッダ情報に基づいて識別される（Ｓ６）。
【００４５】
ステップＳ６において、ブラウザ識別部１６により当該ＵＲＬ情報の発信に利用されたＷｅｂブラウザが音声読み上げ機能を有するＷｅｂブラウザであると識別されたときには、Ｗｅｂ情報取得部１７により当該ＵＲＬ情報で示される位置に記憶された検出用情報に対応する視覚障害者向け画面情報が該当するＷｅｂ情報として画面情報群記憶部１４から取得される。またステップＳ６において、ブラウザ識別部１６により当該ＵＲＬ情報の発信に利用されたＷｅｂブラウザが音声読み上げ機能を有していないＷｅｂブラウザであるとブラウザ識別部１６で識別されたときには、Ｗｅｂ情報取得部１７により当該ＵＲＬ情報で示される位置に記憶された検出用情報に対応する健常者向け画面情報が該当するＷｅｂ情報として画面情報群記憶部１４から取得される（Ｓ７）。
【００４６】
Ｗｅｂ情報取得部１７で取得されたＷｅｂ情報は、Ｗｅｂ情報提供部１８からＵＲＬ情報の発信元のユーザ端末２０に提供される（Ｓ８）。ユーザ端末２０では、Ｗｅｂ情報提供装置１０から提供されたＷｅｂ情報がＷｅｂブラウザ動作部２１で受信され（Ｓ９）、出力部２２から出力される（Ｓ１０）。
【００４７】
表示により出力されたＷｅｂ情報の一例を、図５および図６に示す。図５は、図３で示された健常者向け画面情報のＨＴＭＬファイルに基づいて表示された健常者向け画面５００であり、図６は、図４で示された視覚障害者向け画面情報のＨＴＭＬファイルに基づいて表示された視覚障害者向け画面６００である。
【００４８】
健常者向け画面５００は図３の情報に基づいて、フレーム（１）のＨＴＭＬファイルを表示するフレーム（１）画面５１０と、フレーム（２）のＨＴＭＬファイルを表示するフレーム（２）画面５２０とから構成されている。そしてフレーム（１）画面５１０には、画像（１）５１１、画像（２）５１２、およびテキスト情報「トップメニュー」５１３が表示されている。また、フレーム（２）画面５２０には、装飾文字「Ｎｅｗ！！」５２１、テキスト情報「重要なお知らせ」５２２、テキスト情報「お知らせ情報です。」５２３、テキスト情報「１０／２４（金）○○で停電」５２４、仕切り線５２５、およびテキスト情報「連絡先：○○○○」５２６が表示されている。
【００４９】
視覚障害者向け画面６００は図４の情報に基づいて、１フレームで構成され、テキスト情報「お知らせ情報です。」６０１、テキスト情報「１０月２４日  金曜日  ○○で停電します。」６０２、テキスト情報「連絡先は、○○○○です。」６０３、テキスト情報「トップメニューへ戻ります。」６０４が表示されている。
【００５０】
本実施形態においては、ＵＲＬ情報取得部１５で取得されたＵＲＬ情報のヘッダ情報には音声読み上げ機能を有するＷｅｂブラウザから発信されたことを識別する情報が付加されており、Ｗｅｂブラウザが音声読み上げに対応しているときにはＷｅｂ情報提供装置１０において自動的にこれを識別するため、ユーザは通常のＵＲＬ入力操作を行うのみで、図６に示すように視覚障害者向け画面情報のＨＴＭＬファイルに基づいたＷｅｂ情報がユーザ端末２０の出力部２２に表示される。また、表示されたテキスト情報は、ユーザに分かり易い順序、文章表現で、音声で読み上げられる。
【００５１】
以上の本実施形態によれば、健常者向けのＷｅｂ情報から、音声により読み上げられたときに理解し易い構成の視覚障害者向けのＷｅｂ情報を生成して記憶しておくことで、視覚障害者向けの音声読み上げ機能を有するブラウザからＷｅｂ情報の閲覧が要求されたときに、音声読み上げに適したＷｅｂ情報を容易に提供することができる。
【符号の説明】
【００５２】
１…Ｗｅｂ情報提供システム
１０…Ｗｅｂ情報提供装置
１１…健常者向け画面情報入力部
１２…視覚障害者向け画面情報生成部
１３…画面情報群生成部
１４…画面情報群記憶部
１５…ＵＲＬ情報取得部
１６…ブラウザ識別部
１７…Ｗｅｂ情報取得部
１８…Ｗｅｂ情報提供部
２０…ユーザ端末
２１…Ｗｅｂブラウザ動作部
２２…出力部
３０…ネットワーク
【図１】
2011048580.tif 000003
【図２】
2011048580.tif 000004
【図３】
2011048580.tif 000005
【図４】
2011048580.tif 000006
【図５】
2011048580.tif 000007
【図６】
2011048580.tif 000008